【手続補正書】
【提出日】平成16年12月3日(2004.12.3)
【手続補正１】
【補正対象書類名】明細書
【補正対象項目名】特許請求の範囲
【補正方法】変更
【補正の内容】
【特許請求の範囲】
【請求項１】
アノード電極及び該アノード電極に設けられた蛍光体からなる発光部が設けられたアノード基板と、
前記アノード基板と所定間隔をおいて配置される背面基板と、
前記アノード基板と前記背面基板の間において前記アノード基板と前記背面基板から離れて配置され、前記発光部におけるドット状の発光に対応する貫通孔が形成され、且つアノード基板側の面に帯電防止電極を設けた一の制御基板と、
前記背面基板の内面に形成された冷陰極である電子源と、
前記制御基板の前記電子源側の面において前記貫通孔の近傍に形成され、前記電子源から放出された電子が前記貫通孔を通って前記発光部に射突することにより前記発光部がドット状に発光するように前記電子を制御する制御電極とを有し、
前記アノード基板と前記背面基板と前記制御基板の各外周の間が気密に封着された真空表示素子。
【請求項２】
前記制御基板の前記電子源側の面において前記貫通孔を覆うメッシュグリッドを前記制御電極に導通して設けた請求項１記載の真空表示素子。
【請求項３】
前記制御電極の前記貫通孔を、前記アノード基板に向けて拡径する形状とした請求項１記載の真空表示素子。
【請求項４】
前記制御基板の前記アノード基板側の面における前記貫通孔の縁部に低軟化点ガラスを被着した請求項１記載の真空表示素子。
【請求項５】
前記制御基板の前記アノード基板側の面における前記貫通孔の縁部に導電性低軟化点ガラスを被着した請求項１記載の真空表示素子。
【請求項６】
前記制御基板の前記貫通孔がサンドブラスト法によって形成された請求項１記載の真空表示素子。
【請求項７】
交差する二つの方向について複数の前記貫通孔がマトリクス状に配列して形成されており、
複数本の前記制御電極が前記貫通孔の配列の一の方向と平行に形成され、
前記背面基板の内面に前記貫通孔の配列の他の方向と平行に複数本の背面電極が形成され、
前記制御電極と前記背面電極のいずれか一方を順次走査するとともに、他方に表示信号を与えることにより、前記電子源から放出される電子が通過しうる前記貫通孔を選択して前記発光部を選択的にドット状に発光させることを特徴とする請求項１記載の真空表示素子。
【請求項８】
アノード電極及び該アノード電極に設けられた蛍光体からなる発光部が設けられたアノード基板と、
前記アノード基板と所定間隔をおいて配置される背面基板と、
前記アノード基板と前記背面基板の間において前記アノード基板と前記背面基板から離れて配置され、前記発光部におけるドット状の発光に対応する貫通孔が形成され、且つアノード基板側の面に帯電防止電極を設けた一の制御基板と、
前記背面基板と前記制御基板の間に配置された電子源と、
前記制御基板の前記電子源側の面において前記貫通孔の近傍に形成され、前記電子源から放出された電子が前記貫通孔を通って前記発光部に射突することにより前記発光部がドット状に発光するように前記電子を制御する制御電極とを有し、
前記アノード基板と前記背面基板と前記制御基板の各外周の間が気密に封着された真空表示素子。
【請求項９】
交差する二つの方向について複数の前記貫通孔がマトリクス状に配列して形成されており、
複数本の前記制御電極が前記貫通孔の配列の一の方向と平行に形成され、
前記電子源が前記制御基板と前記背面基板の間の空間に前記貫通孔の配列の他の方向と平行に張設された複数本のフィラメント状電極であり、
前記制御電極と前記フィラメント状電極のいずれか一方を順次走査するとともに、他方に表示信号を与えることにより、前記フィラメント状電極から放出された電子が通過しうる前記貫通孔を選択して前記発光部を選択的にドット状に発光させることを特徴とする請求項８記載の真空表示素子。
【請求項１０】
交差する二つの方向について複数の前記貫通孔がマトリクス状に配列して形成されており、
前記背面基板の内面に前記貫通孔の配列の一の方向と平行に複数本の背面電極が形成され、
前記電子源が前記制御基板と前記背面基板の間の空間に前記貫通孔の配列の他の方向と平行に張設された複数本のフィラメント状電極であり、
前記背面電極と前記フィラメント状電極のいずれか一方を順次走査するとともに、他方に表示信号を与えることにより、前記フィラメント状電極から放出された電子が通過しうる前記貫通孔を選択して前記発光部を選択的にドット状に発光させることを特徴とする請求項８記載の真空表示素子。
【手続補正２】
【補正対象書類名】明細書
【補正対象項目名】００１３
【補正方法】変更
【補正の内容】
【００１３】
請求項１に記載された真空表示素子は、アノード電極及び該アノード電極に設けられた蛍光体からなる発光部（発光ドット７）が設けられたアノード基板（２）と、前記アノード基板と所定間隔をおいて配置される背面基板（３）と、前記アノード基板と前記背面基板の間において前記アノード基板と前記背面基板から離れて配置され、前記発光部におけるドット状の発光に対応する貫通孔（８）が形成され、且つアノード基板側の面に帯電防止電極を設けた一の制御基板（６）と、前記背面基板の内面に形成された冷陰極である電子源と、前記制御基板の前記電子源側の面において前記貫通孔の近傍に形成され、前記電子源から放出された電子が前記貫通孔を通って前記発光部に射突することにより前記発光部がドット状に発光するように前記電子を制御する制御電極（９）とを有し、前記アノード基板と前記背面基板と前記制御基板の各外周の間が気密に封着されている。
【手続補正３】
【補正対象書類名】明細書
【補正対象項目名】００１４
【補正方法】変更
【補正の内容】
【００１４】
請求項２に記載された真空表示素子は、請求項１記載の真空表示素子において、前記制御基板（６）の前記電子源側の面において前記貫通孔（８）を覆うメッシュグリッド（１６）を前記制御電極に導通して設けたことを特徴としている。
【手続補正４】
【補正対象書類名】明細書
【補正対象項目名】００１５
【補正方法】変更
【補正の内容】
【００１５】
請求項３に記載された真空表示素子は、請求項１記載の真空表示素子において、前記制御電極（６）の前記貫通孔（８）を、前記アノード基板（２）に向けて拡径する形状としたことを特徴としている。
【手続補正５】
【補正対象書類名】明細書
【補正対象項目名】００１６
【補正方法】変更
【補正の内容】
【００１６】
請求項４に記載された真空表示素子は、請求項１記載の真空表示素子において、前記制御基板（６）の前記アノード基板（２）側の面における前記貫通孔（８）のエッジ部（１２）に低軟化点ガラス (放電防止膜１３）を被着したことを特徴としている。
【手続補正６】
【補正対象書類名】明細書
【補正対象項目名】００１７
【補正方法】変更
【補正の内容】
【００１７】
請求項５に記載された真空表示素子は、請求項１記載の真空表示素子において、前記制御基板（６）の前記アノード基板（２）側の面における前記貫通孔（８）のエッジ部（１２）に導電性低軟化点ガラス (放電防止膜１４）を被着したことを特徴としている。
【手続補正７】
【補正対象書類名】明細書
【補正対象項目名】００１８
【補正方法】変更
【補正の内容】
【００１８】
請求項６に記載された真空表示素子は、請求項１記載の真空表示素子において、前記制御基板（６）の前記貫通孔（８）がサンドブラスト法によって形成されたものである。
【手続補正８】
【補正対象書類名】明細書
【補正対象項目名】００１９
【補正方法】変更
【補正の内容】
【００１９】
請求項７に記載された真空表示素子は、請求項１記載の真空表示素子において、交差する二つの方向について複数の前記貫通孔（８）がマトリクス状に配列して形成されており、複数本の前記制御電極（９）が前記貫通孔の配列の一の方向と平行に形成され、前記背面基板（３）の内面に前記貫通孔の配列の他の方向と平行に複数本の背面電極（１０）が形成され、前記制御電極と前記背面電極のいずれか一方を順次走査するとともに、他方に表示信号を与えることにより、前記電子源から放出される電子が通過しうる前記貫通孔を選択して前記発光部 (発光ドット７）を選択的にドット状に発光させることを特徴としている。
【手続補正９】
【補正対象書類名】明細書
【補正対象項目名】００２０
【補正方法】変更
【補正の内容】
【００２０】
請求項８に記載された真空表示素子（１）は、アノード電極及び該アノード電極に設けられた蛍光体からなる発光部（発光ドット７）が設けられたアノード基板（２）と、前記アノード基板と所定間隔をおいて配置される背面基板（３）と、前記アノード基板と前記背面基板の間において前記アノード基板と前記背面基板から離れて配置され、前記発光部におけるドット状の発光に対応する貫通孔（８）が形成され、且つアノード基板側の面に帯電防止電極（１５）を設けた一の制御基板（６）と、前記背面基板と前記制御基板の間に配置された電子源 (フィラメント状陰極１１）と、前記制御基板の前記電子源側の面において前記貫通孔の近傍に形成され、前記電子源から放出された電子が前記貫通孔を通って前記発光部に射突することにより前記発光部がドット状に発光するように前記電子を制御する制御電極（９）とを有し、前記アノード基板と前記背面基板と前記制御基板の各外周の間が気密に封着されている。帯電防止電極（１５）とは、酸化ルテニウム、酸化アンチモン、ＩＴＯ、酸化スズ、黒鉛等の導電材を含むガラスであり、ガラス材は酸化鉛及びチタン酸鉛を有するものである。
請求項９に記載された真空表示素子は、請求項８記載の真空表示素子（１）において、交差する二つの方向について複数の前記貫通孔（８）がマトリクス状に配列して形成されており、複数本の前記制御電極（９）が前記貫通孔の配列の一の方向と平行に形成され、前記電子源が前記制御基板（６）と前記背面基板（３）の間の空間に前記貫通孔の配列の他の方向と平行に張設された複数本のフィラメント状電極 (フィラメント状陰極１１）であり、前記制御電極と前記フィラメント状電極のいずれか一方を順次走査するとともに、他方に表示信号を与えることにより、前記フィラメント状電極から放出された電子が通過しうる前記貫通孔を選択して前記発光部 (発光ドット７）を選択的にドット状に発光させることを特徴としている。
【手続補正１０】
【補正対象書類名】明細書
【補正対象項目名】００２１
【補正方法】変更
【補正の内容】
【００２１】
請求項１０に記載された真空表示素子は、請求項８記載の真空表示素子（１）において、交差する二つの方向について複数の前記貫通孔（８）がマトリクス状に配列して形成されており、前記背面基板（３）の内面に前記貫通孔の配列の一の方向と平行に複数本の背面電極（１０）が形成され、前記電子源が前記制御基板（６）と前記背面基板の間の空間に前記貫通孔の配列の他の方向と平行に張設された複数本のフィラメント状電極 (フィラメント状陰極１１）であり、前記背面電極と前記フィラメント状電極のいずれか一方を順次走査するとともに、他方に表示信号を与えることにより、前記フィラメント状電極から放出された電子が通過しうる前記貫通孔を選択して前記発光部 (発光ドット７）を選択的にドット状に発光させることを特徴としている。
【手続補正１１】
【補正対象書類名】明細書
【補正対象項目名】００２２
【補正方法】削除
【補正の内容】